(57)【特許請求の範囲】
【請求項１】
浴室のカウンターの上面に円筒状の温調ハンドルを配設し、該温調ハンドルには略水平に突出したレバーが設けられ、該温調ハンドルを水平方向に回転させることで混合水温度を調節可能としたサーモスタット水栓の設置構造において、
前記レバーには、下から押し上げながら、ハンドルを回動させることにより高温水吐出側への回動規制を解除し得るボタンが設けられていることを特徴とする水栓の設置構造。
【請求項２】
前記レバーの下に、該レバーとほぼ同じ長さの前記ボタンが設けられている請求項１に記載の水栓の設置構造。
【請求項３】
前記カウンターが、洗面器置き台である請求項１または請求項２に記載の水栓の設置構造。
【発明の詳細な説明】
【技術分野】
【０００１】
本発明は、浴室のカウンターに設置される水栓の設置構造に関するものである。
【背景技術】
【０００２】
従来、特許文献１に開示されているシングルレバー式の水栓において、レバーを上下方向に操作することで吐水流量を調節可能で、レバーを水平方向に回動操作することで湯の温度を調節可能に構成されており、高温吐出側への水平方向の操作は、所定温度の湯を吐出させる位置に達するとストッパーで回転が規制されて、それ以上の高温を吐出させる位置へは動かすことができないように構成されており、レバーに設けた押しボタンを押すと、ストッパーの規制状態が解除されて、レバーを所定温度以上の高温の湯を吐出させる位置へ回動移動させることが可能となるように構成されている。
【特許文献１】実用新案登録第２５６３２４５号公報
【発明の開示】
【発明が解決しようとする課題】
【０００３】
従来の上記特許文献１に開示されているシングルレバー式水栓では、レバーの先端にストッパーの規制状態を解除する押しボタンが設けられているが、通常のレバー操作時に、特にレバーを上下方向に操作するような際に、押しボタンを押してしまう誤操作の虞があるという問題点がある。
【課題を解決するための手段】
【０００４】
本発明は上記従来の問題点に鑑み案出したものであって、誤操作の生ずることのない水栓の設置構造を提供するものであり、その請求項１は、浴室のカウンターの上面に円筒状の温調ハンドルを配設し、該温調ハンドルには略水平に突出したレバーが設けられ、該温調ハンドルを水平方向に回転させることで混合水温度を調節可能としたサーモスタット水栓の設置構造において、
前記レバーには、下から押し上げながら、ハンドルを回動させることにより高温水吐出側への回動規制を解除し得るボタンが設けられていることである。
【０００５】
また、請求項２は、前記レバーの下に、該レバーとほぼ同じ長さの前記ボタンが設けられていることである。
【０００６】
また、請求項３は、前記カウンターが、洗面器置き台であることである。
【発明の効果】
【０００７】
本発明は、浴室のカウンターの上面に円筒状の温調ハンドルを配設し、該温調ハンドルには略水平に突出したレバーが設けられ、該温調ハンドルを水平方向に回転させることで混合水温度を調節可能としたサーモスタット水栓の設置構造において、前記レバーには、下から押し上げながら、ハンドルを回動させることにより高温水吐出側への回動規制を解除し得るボタンが設けられていることにより、通常の温度調節操作時には、上方からハンドルとレバーを掴んで水平方向に回動させて良好に操作することができ、この通常の操作時にボタンには手が触れないために、ボタンが誤って押されて誤操作が生ずることはなく、高温吐出側への回動規制を解除する時にのみ、ボタンを下方側から手の位置を変えて押して操作することができ、誤操作のない水栓となる。
【０００８】
また、前記レバーの下に、該レバーとほぼ同じ長さの前記ボタンが設けられていることにより、レバーとボタンが一体感をなして、意匠性が向上するものとなる。
【０００９】
また、前記カウンターが、洗面器置き台であることにより、カウンター上面に良好に洗面器を置いて浴室内で使用することができ、使用勝手が良好なものとなる。
【実施例】
【００１０】
以下、本発明の実施例を図面に基づいて説明する。
図１は、浴室の平面構成図であり、また図２は、浴室内の正面構成図である。
浴室１には浴槽２が設置されており、洗い場３側の壁面には、洗面器を置くことのできる洗面器置き台を構成するカウンター４が横設されており、このカウンター４の上方に、吐水口５が配置され、この吐水口５からの吐水の流量とシャワーとの切り替えを行う流量／切替ハンドル６と、吐水温度を調節可能な温調ハンドル７が、カウンター４上に配置されている。
【００１１】
図３で示すように、サーモスタットを内蔵したサーモスタット水栓本体８は、カウンター４内に隠蔽されるものであり、カウンター４の上面に、流量／切替ハンドル６と温調ハンドル７が露出して配置されるものである。
サーモスタット水栓本体８には、湯が流入される給湯部９と、水が流入される給水部１０とが設けられており、この給湯部９から入る湯と給水部１０から入る水の混合量を、温調ハンドル７を水平方向に回動操作して調節し、吐水温度を調整できるものである。
【００１２】
また、サーモスタット水栓本体８には、吐水出口部１１が設けられており、この吐水出口部１１からの吐水が前記吐水口５から吐水されるものである。
また、シャワーホース接続部１３側へも温度調節された吐水が、流量／切替ハンドル６で切り替えられて導入されるように構成されており、このシャワーホース接続部１３には、シャワーホース１４が接続され、シャワーホース１４の先端にはハンドシャワー１５が取り付けられている。
【００１３】
図４は、水栓本体および温調ハンドルの内部構造図であり、また図５は、温調ハンドルの部分の拡大断面構成図である。
水栓本体８内には、サーモスタット部８ａが内装されており、このサーモスタット部８ａの軸に連結されたギア２２が、カウンター４上に設置された台座１２の中央部から上方へ突出して、このギア２２の外周にセレーション嵌合により温調ハンドル７が取り付けられており、温調ハンドル７はビス２３でサーモスタット部８ａの軸に固定されている。
従って、温調ハンドル７を水平方向に回動させることでギア２２が回動されて、これによりサーモスタット部８ａが調整されて、サーモスタット部８ａ内で調整した温度の湯が生成されるものである。なお、台座１２には、温度目盛りが付されており、好みの温度に温調ハンドル７を回動させて調整できるものである。
【００１４】
温調ハンドル７の上端側はキャップ２１で覆蓋され、このキャップ２１側の温調ハンドル７の外周から外側へ一体状に突出して略水平なレバー１７が設けられており、このレバー１７内には上下動可能に上動部材１９が設けられ、この上動部材１９の下部に係合爪１８ａ，１８ａを介してボタン１８が取り付けられている。
ボタン１８は下方側から上方へ向かって押し上げ操作できるように構成されており、ボタン１８はレバー１７とほぼ同じ長さを有して、レバー１７と一体感が生ずるように構成されている。
【００１５】
なお、レバー１７の上面１７ａから下方へ押圧凸部１７ｂが一体形成され、この押圧凸部１７ｂに押圧された状態で板バネ２０が上動部材１９の上面側に配置されており、この板バネ２０の付勢力により、常には上動部材１９およびボタン１８は下方側へ付勢された状態となっている。
なお、上動部材１９の図示右端は、下方側へ垂下された垂下片１９ａとなっており、この垂下片１９ａは、温調ハンドル７の内周壁７ａに沿って上下動できるように配置されており、垂下片１９ａの下端には、更に下方側へ延びてストッパー片１９ｂが一体形成されている。
【００１６】
このストッパー片１９ｂは、図６に概略斜視図で示すような台座１２内に固定された台座ガイドリング１６上を移動し、台座ガイドリング１６の上面には、上方へ突出して第１段部１６ａと、更に上方へ突出した第２段部１６ｂが一体形成されており、第１段部１６ａの端面に湯温４０℃の規制壁Ｓ１が形成されており、また第２段部１９ｂの端面に湯温４０℃の規制壁Ｓ２が形成されている。
このような構成において、通常の湯温の調整は、図７に示すように、上方側から温調ハンドル７とレバー１７を手で握った状態で、温調ハンドル７を水平方向に回動させて操作することができるものである。
【００１７】
即ち、図２に示すように、洗い場３とカウンター４の上面間の上下高さａは３５７ｍｍに設定されており、４００ｍｍ以下のほぼ腰の高さ位置に温調ハンドル７が配置されているため、通常の操作時には上方から手で温調ハンドル７およびレバー１７を握り操作することとなる。従って、通常の温度調節操作時には、ボタン１８に手が触れることはなく、誤作動を生じることがない。
なお、温調ハンドル７を高温吐水側へ回転してゆくと、ストッパー片１９ｂが第１段部１６ａの４０℃規制壁Ｓ１に当接して、この位置で回転が規制され、それ以上高温側には回転させることができなくなり、４０℃の湯温の吐水がなされるものである。
【００１８】
なお、必要に応じ４０℃以上の湯温を吐出させたい場合には、図８に示すように、手の方向を変えて下方側から手でボタン１８とレバー１７を摘みながら、洗濯挟みで挟むような操作方法でボタン１８を上方側へ押し上げて操作することができ、この場合は、ボタン１８とともに上動部材１９が上方へ移動されて、ストッパー片１９ｂが第１段部１６ａ上に載り、この状態で更に高温吐水側へ回転させることができるものである。
なお、湯温４５℃の規制壁Ｓ２にストッパー片１９ｂが当接して、それ以上の高温側へは回転させることができないように構成されている。
【００１９】
このように、通常の温度調節操作では、ボタン１８に指が触れることがなく誤操作しづらい構造であり、意識してボタン１８を操作する際には、図８のように持ち方を変えてボタン１８を操作することとなり、指で摘んで良好に操作できるものとなる。
【図面の簡単な説明】
【００２０】
【図１】浴室の平面構成図である。
【図２】浴室の内部を示す正面構成図である。
【図３】サーモスタット式水栓本体とハンドルの構成図である。
【図４】水栓本体と温調ハンドルの内部構造図である。
【図５】温調ハンドルの部分を拡大した断面構成図である。
【図６】ストッパー片が当接する第１段部と第２段部を形成した部分の概略斜視図である。
【図７】通常の温度調整操作時の操作説明図である。
【図８】意識してボタンを操作する際の操作説明図である。
【符号の説明】
【００２１】
１  浴室
３  洗い場
４  カウンター
５  吐水口
６  流量／切替ハンドル
７  温調ハンドル
８  サーモスタット水栓本体
９  給湯部
１０  給水部
１１  吐水出口部
１２  台座
１３  シャワーホース接続部
１６  台座ガイドリング
１６ａ  第１段部
１６ｂ  第２段部
１７  レバー
１７ａ  上面
１７ｂ  押圧凸部
１８  ボタン
１８ａ  係合爪
１９  上動部材
１９ａ  垂下片
１９ｂ  ストッパー片
２０  板バネ
２２  ギア
Ｓ１  湯温４０℃の規制壁
Ｓ２  湯温４５℃の規制壁
【図１】
0004739991.tif 000002
【図２】
0004739991.tif 000003
【図３】
0004739991.tif 000004
【図４】
0004739991.tif 000005
【図５】
0004739991.tif 000006
【図６】
0004739991.tif 000007
【図７】
0004739991.tif 000008
【図８】
0004739991.tif 000009